(57)【要約】【課題】ユーザの好みに合った種々の形状、模様、色彩を持つ文字や画像を、極めて簡単、迅速に基布に熱転写可能にする。【解決手段】第１剥離シート３が剥がされた第１シート素材１が、第１シート材料Ａ側のホットメルト層２を介して被転写物９に熱圧着可能とされ、この被転写物９に熱圧着された第１シート素材１のトナー画像層４上に、第２シート材料Ｂ側のホットメルト層６を介して第２シート材料Ｂのスクリーン印刷画像層が熱圧着可能とされる。【選択図】図３
2008090242.tif 000002
【特許請求の範囲】
【請求項１】
柔軟性のある第１シート素材と、この第１シート素材の片面に付着されたホットメルト層と、このホットメルト層を介して前記第１シート素材に貼着された第１剥離シートと、前記第１シート素材の他面に電子画像形成装置によって形成されたトナー画像層と、を有する第１シート材料と、
柔軟性のある第２シート素材と、この第２シート素材の片面に付着されたホットメルト層と、このホットメルト層を介して前記第２シート素材に貼着された第２剥離シートと、前記第２シート素材の他面にスクリーン印刷されて、シリコン樹脂に顔料を練りこんだスクリーン印刷画像層と、を有する第２シート材料と、
を備えてなり、
前記第１剥離シートが剥がされた前記第１シート素材が、前記第１シート材料側のホットメルト層を介して、被転写物に熱圧着可能とされ、この被転写物に熱圧着された第１シート素材のトナー画像層上に、前記第２シート材料側の第２剥離シートが剥がされた前記ホットメルト層を介して、前記第２シート素材が熱圧着可能とされてなることを特徴とする熱転写シート部材。
【請求項２】
前記第２シート素材が、柔軟性のある透明シートであることを特徴とする請求項１に記載の熱転写シート部材。
【請求項３】
前記スクリーン印刷画像層が、周辺環境の温度変化に伴って可逆変色する感温材料をシリコン樹脂に練り込んだものからなることを特徴とする請求項１に記載の熱転写シート部材。
【請求項４】
前記スクリーン印刷画像層が、周辺環境の明るさの変化に伴って可逆変色する蓄光材料をシリコン樹脂に練り込んだものからなることを特徴とする請求項１に記載の熱転写シート部材。
【発明の詳細な説明】
【技術分野】
【０００１】  本発明は、ユーザが選んで組み合わせた絵柄を、衣料等の表面に熱転写するのに用いる熱転写シート部材に関する。
【背景技術】
【０００２】  従来から、剥離シート上に感熱性接着層を重ね、この感熱性接着層上にＰＶＣ又はアクリル樹脂等に顔料を練り込んで着色したシートを着色層として積層し、さらにその着色層上に支持体を設けた熱転写シートが、知られている（例えば、特許文献１参照）。【０００３】  この熱転写シートは、剥離シートを除去して所望の図形や文字に裁断し、不要部分を取り除いた後、Ｔシャツなど衣料品の基布上に加圧、加熱して貼り付けられる。また、この貼り付け後に、前記支持体を剥離することにより、基布上に前記図形や文字などの図柄を付着することができる。【０００４】  ところで、前記Ｔシャツ等に施されるプリントは、シルクスクリーンプリントが主流であり、ＰＶＣやアクリル樹脂などに顔料を練り込んで着色した色糊が用いられる。このため、複数色の絵柄や文字を組み合わせたものを得ようとする場合に、例えば、英文字「Ｎ」、「Ｏ」、「Ｂ」、「Ｅ」のプリントをそれぞれ異なる色（赤、青、黄。緑）で行おうとする場合には、スクリーンが４枚必要となり、さらに、前記各英文字を前記とは異なる色（緑、赤、青、黄）でプリントしようとする場合には、色糊を変えて再び同様のプリント作業を繰り返すこととなる。
【特許文献１】特開２００３−２９５７７１号公報
【発明の開示】
【発明が解決しようとする課題】
【０００５】  しかしながら、このような従来プリント方法は、前述のようにＰＶＣやアクリル樹脂などに顔料を練り込んで着色が行われるものであるため、色彩が異なる種々の文字や絵柄を組み合わせてＴシャツ等にプリントしょうとすると、多数枚のスクリーンと多数回のスクリーンプリント作業〔工程）の繰り返しが必要になり、従って、作業効率が悪く、被転写物であるＴシャツ等の基布一枚に対するプリントコストが著しく割高になるという問題があった。【０００６】  本発明は、前記のような従来の問題点に着目してなされたものであり、安価に購入して作成したトナー画像を持つ第１シート材料に、第２シート材料側に設けられた多数のスクリーン印刷画像の中から選択して切り抜いたものを熱圧着するだけで、好みに合った種々の形状、模様、色彩を持つ文字や絵柄を、子供や老人などの全くの素人でも、極めて簡単、迅速に被転写物に熱転写することができる熱転写シート部材を得ることを目的とする。
【課題を解決するための手段】
【０００７】  前記目的達成のために、本発明にかかる熱転写シート部材は、柔軟性のある第１シート素材、この第１シート素材の片面に付着されたホットメルト層、このホットメルト層を介して前記第１シート素材に貼着された第１剥離シートおよび前記第１シート素材の他面の全面又は部分に電子画像形成装置によって形成されたトナー画像層を有する第１シート材料と、柔軟性のある第２シート素材、この第２シート素材の片面に付着されたホットメルト層、このホットメルト層を介して前記第２シート素材に貼着された第２剥離シートおよび前記第２シート素材の他面にスクリーン印刷されて、シリコン樹脂に顔料を練りこんだスクリーン印刷画像層を有する第２シート材料と、を備えてなり、前記第１剥離シートが剥がされた前記第１シート素材が、前記第１シート材料側のホットメルト層を介して、被転写物に熱圧着可能とされ、この被転写物に熱圧着された第１シート素材のトナー画像層上に前記第２シート材料側の第２剥離シートが剥がされた前記ホットメルト層を介して、前記第２シート素材が熱圧着可能とされてなることを特徴とする。【０００８】  この構成により、予め用意され、又はユーザが電子画像形成装置により作成した第１シート素材のトナー画像をベース又は背景にして、これの上に、スクリーン印刷された複数のスクリーン印刷画像の中からユーザが選んで第２シート素材から切り抜いたスクリーン印刷画像を、アイロンを用いてＴシャツなどの被転写物上に熱圧着することにより、その被転写物にユーザが好む形状、模様、色彩の画像や文字を簡単、迅速に付着させることができる。【０００９】  また、本発明にかかる熱転写シート部材は、前記第２シート素材を、柔軟性のある透明シートとしたことを特徴とする。
この構成により、第２シート素材がホットメルト層の全体に亘って設けられて、第１シート材料に第２シート材料を張り合わせた状態においても、スクリーン印刷層を持つ透明の第２シート材料を通して前記第１シート素材上のトナー画像を外側から透視することができる。【００１０】  また、本発明にかかる熱転写シート部材は、前記スクリーン印刷画像層を、周辺環境の温度変化に伴って可逆変色する感温材料をシリコン樹脂に練り込んだものとしたことを特徴とする。
この構成により、周辺環境の温度変化に伴ってスクリーン印刷画像の全部または一部の画像の色彩を、可逆的に変化させることができる。【００１１】  また、本発明にかかる熱転写シート部材は、前記スクリーン印刷画像層を、周辺環境の明るさの変化に伴って可逆変色する蓄光材料をシリコン樹脂に練り込んだものとしたことを特徴とする。
この構成により、周辺環境の明るさの変化に伴ってスクリーン印刷画像の全部または一部の画像の色彩を可逆的に変化させることができる。
【発明の効果】
【００１２】  本発明によれば、ユーザが購入して作成したトナー画像を持つ第１シート材料に、第２シート材料側に設けられた多数のスクリーン印刷画像の中から選択して切り抜いたものを熱圧着するだけで、ユーザの好みに合った種々の形状、模様、色彩を持つ文字や絵柄を、極めて簡単、迅速に被転写部材に付着させることができる。
【発明を実施するための最良の形態】
【００１３】  以下、本発明の実施形態を図面を参照しながら説明する。
図１および図２は、本発明の実施形態による熱転写シート部材を構成する第１シート材料Ａと第２シート材料Ｂの各積層構造を示す断面図である。これらの第１シート材料Ａと第２シート材料Ｂは、本発明の熱転写シート部材をユーザによって利用可能とするため、これらをセットにして販売および供給される。【００１４】  図１および図２において、第１シート材料Ａは、柔軟性のある第１シート素材１と、この第１シート素材の片面に付着されたホットメルト樹脂またはホットメルト樹脂フィルムなどのホットメルト層２と、このホットメルト層２を介して前記第１シート素材１に貼着した第１剥離シート３と、前記第１シート素材１の他面に、電子画像形成装置によって形成されたトナー画像層４と、を備えている。【００１５】  ここで、前記第１シート素材１としては、被転写部材の円弧面や屈曲面に馴染み易く、強靭で柔軟性がある例えば合成皮革が、任意の形状、サイズに裁断されて用いられる。この合成皮革の材料として、例えばエクセーヌ（東レ株式会社の商品名）やラムース（株式会社旭化成の商品名）などが用いられる。【００１６】  また、前記ホットメルト層２を構成するホットメルト樹脂としては、第１シート材料１に接着可能であれば、特に限定されるものではなく、例えば熱可塑性ポリウレタン、スチレン／エチレン／ブチレンブロック共重合体、エチレン／酢酸ビニル熱可塑性エラストマー等からなる接着剤が用いられる。このホットメルト樹脂の層厚は、接着力の不足又は接着剤のはみ出しを回避できる、例えば５０〜１５０μｍとすることが望ましいが、本発明では特にこの値に限定される必要はない。【００１７】  また、前記第１剥離シート３としては、ホットメルト層２から剥離可能なものであれば特に限定されないが、例えばポリプロピレン、ポリ塩化ビニル、ポリカーボネート、ポリエチレンテレフタレートなどが用いられる。
前記トナー画像層４は、電子画像形成装置であるコピー機やプリンタ装置によって第１シート素材１の他面にカラーコピーまたはカラープリントによって付着され、単色や複合色によって、図示のように第１シート素材１の他面の全面に設けられる。なお、図示しないが、このトナー画像層４は、シート素材１の他面の一部にだけ設けることもできる。【００１８】  一方、第２シート部材Ｂは、柔軟性のある第２のシート素材５と、この第２シート素材５の片面に付着されたホットメルト層６と、このホットメルト層６を介して前記第２シート素材５が貼着された第２剥離シート７と、前記第２シート素材５の他面にスクリーン印刷されたスクリーン印刷画像層８と、を備えている。【００１９】  そして、前記第２シート素材５としては、第１シート素材１と同様の、強靭で柔軟性がある材料、例えば合成皮革が用いられる。この第２シート素材５は、図示のように、ホットメルト層６の全面を被うように設けられる場合のほか、スクリーン印刷画像層８が設けられる部位のみに設けられる。これにより、スクリーン印刷画像層が設けられない部位を通して、第１シート材料のトナー画像を看取可能とすることができる。【００２０】  また、前述のように、第２シート素材５がホットメルト層６の全面を被うように設けられる場合には、その第２シート素材５を透明フィルムなどの透明層とすることが望ましい。これにより、スクリーン印刷画像層８の下層となるトナー画像層４の図柄を、透明フィルムを通してスクリーン印刷画像層８の図柄とともに看取可能とすることができる。
前記ホットメルト層６には、前述した各種接着剤の中の一つを選んで用いることができる。
前記第２剥離シート７には、前記第１剥離シート１と同様のものが用いられる。【００２１】  前記スクリーン印刷画像層８は、通常のインクによる印刷層に比べて厚みが十分に大きく、特に、シリコン樹脂に顔料を練り込んだものが用いられる。また、スクリーン印刷では、複数の版を重ねることによって、第２シート素材５の他面に形状や模様、あるいは色彩が順次異なる印刷層を形成することができる。さらに、印刷層の上に、形状や模様、あるいは色彩がその印刷層と同一又は異なる別の印刷層を、サイズが順に変化（例えば、相似形に小さく変化）するように積層することで、立体的な画像や文字として看取可能な印刷層を簡単に形成することができる。【００２２】  次に、第１シート材料Ａおよび第２シート材料Ｂを用いて、熱転写シートの製造手順および被転写物としての例えばＴシャツの基布９に熱転写シートを貼り付ける手順を、図３を参照しながら説明する。【００２３】  まず、図３（ａ）に示すように、第１のシート素材１に対しホットメルト層２を介して第１剥離シート３を設けたシートを用意し、このシートをコピー機やプリンタ装置などの電子画像形成装置に通して、ユーザがデザインしたカラーの図柄を複写または印刷し、トナー画像層４を得る。図３（ｂ）は、このトナー画像層４が設けられた第１シート材料Ａを示す。なお、このトナー画像層４の図柄は、予めメーカサイドで用意されたものであってもよい。このトナー画像４の図柄は、後述のスクリーン印刷画像を引き立たせるための背景画などとして用いることができる。また、第１剥離シート３をホットメルト層２から剥がす。【００２４】  次に、図３（ｃ）に示すように、Ｔシャツなどの基布９を用意し、この基布９の所定部位に、図３（ｂ）に示す第１シート材料Ａをホットメルト層２を介して貼り付け、加熱圧着する。
一方、図３（ｄ）に示すように、第２シート素材５の片面に対しホットメルト層６を介して第２剥離シート７が貼り付けられた第２シート材料Ｂを用意する。この第２シート材料Ｂにおけるシート素材５の他面における全部又は部分には、メーカサイドで作成した絵柄やデザインの画像や文字などのスクリーン印刷画像層８が、図３（ｄ）、（ｅ）に示すように形成されている。これらの画像や文字は、同一または異なる形状、模様、色彩によって表されている。【００２５】  従って、一般のユーザは、この第２シート材料Ｂから必要とする画像や文字の一個または複数個を選択して、図３（ｅ）に示すように切り抜くことができる。図３（ｅ）では、このようにして切り抜いた第２シート材料Ｂのうち二つ（一部）を示す。【００２６】  続いて、この切り抜かれた一つ又は複数の第２シート材料Ｂから剥離シート７をそれぞれ剥して、図３（ｃ）に示すように、被転写物である基布９に貼り付けられた第１シート材料Ａのトナー画像層４上に、ホットメルト層６を介して貼り合せる。続いて、家庭用のアイロンを用い、各ホットメルト層２、６を所定温度で溶融させて、各層を熱溶着する。図３（ｇ）は、この熱溶着を行った基布９上の熱転写シートの断面構造を示す。【００２７】  従って、この熱転写シートでは、基布９上に、トナー画像を背景絵柄として、その上にスクリーン印刷画像が表示されることとなる。そして、このような基布９への図柄の転写作業は、第１シート材料Ａと第２シート材料Ｂを用意し、第１シート材料Ａに対するコピー機等によるトナー画像の形成と、第２シート材料Ｂの切り抜きと、切り抜いた第２シート材料Ｂの第１シート材料Ａへの熱圧着という、きわめて単純な工程で、ローコストに実施することができる。【００２８】  従って、例えば、猫の図柄のトナー画像４に対し、スクリーン印刷した目玉や尻尾を張り合わせることにより、ユーザが希望する形状、模様、色彩の目玉や尻尾を持った猫の図柄を、Ｔシャツ等に簡単に転写および表示することができる。【００２９】  また、前記第２シート素材５を柔軟性がある透明シートとすることで、この第２のシート素材５がホットメルト層６の全面を被う場合でも、各スクリーン印刷画像層８間を通して、背景となるトナー画像をクリアーに看取することができる。この場合には、スクリーン印刷画像層８の形状やサイズに合わせて第２シート素材５を予め切断しておく手間を省くことができる。【００３０】  さらに、前記スクリーン印刷画像層５をシリコン樹脂に顔料を加えたものとものとすることで、皮膜強度が高く、かつ伸縮性に富むこととなり、柔軟性のある第１シート素材１や第２シート素材５に馴染み易く、経時的劣化によるひび割れなどの発生を抑制することができる。【００３１】  また、前記シリコン樹脂に感温材料を練り込んだものを用いてスクリーン印刷層８を形成することにより、このスクリーン印刷画像層８の色彩を周囲温度の変化に応じて、変化させることができる。例えば、感温材料を含む前記スクリーン印刷画像層８が猫の目の絵柄である場合には、この猫の目の絵柄を第２シート材料Ｂから切り抜き、第１シート材料Ａ上の、トナー画像の猫（絵柄）の相当部分（例えば、目の位置に相当する空白部���など）に張り合わせることで、周囲温度の変化に応じて目の色や光が優しくあるいは怪しく変化する絵柄を、Ｔシャツの基布９上に表現することができる。なお、前記感温材料には、コステリック液晶や示温組成物を用いることができる。【００３２】  また、前記シリコン樹脂に蓄光材料を練り込んだものを用いてスクリーン印刷画像僧８を形成することにより、このスクリーン印刷画像層８を周囲の明るさの変化に応じて、色彩を変化させることができる。例えば、前記猫の目を暗い環境では怪しい色で光らせるとともに、明るい環境では優しい色で光らせることができる。この蓄光材料として、例えばフォトクロミック分子を含む材料が用いられる。【００３３】  このように、本実施形態では、柔軟性のある第１シート素材１の片面に、ホットメルト層２を介して第１剥離シート３を貼着し、第１シート素材１の他面にトナー画像層４を形成した第１シート材料Ａと、柔軟性のある第２シート素材５の片面にホットメルト層６を介して第２剥離シート７を貼着し、第２シート素材５の他面にスクリーン印刷画像層８を形成した第２シート材料Ｂと、を備えて、前記第１シート素材１をその片面にあるホットメルト層２を介して被転写物９に熱圧着可能とされ、第１シート部材Ａのトナー画像層４上に、ホットメルト層６を介して第２シート部材Ｂを熱圧着可能としたことにより、予め用意された、又はユーザが電子画像形成装置により作成された第１シート素材１のトナー画像を、ベース又は背景にして、これの上に第２シート部材Ｂにおける複数のスクリーン印刷画像の中からユーザが選んで切り抜いたスクリーン印刷画像を、アイロンを用いてＴシャツなどの被転写物に熱圧着することができ、その被転写物にユーザが好む形状、模様、色彩の画像や文字を簡単、迅速に付着させることができる。
【産業上の利用可能性】
【００３４】  本発明の熱転写シート部材は、ユーザの好みに合った種々の形状、模様、色彩を持つ文字や絵柄を、極めて簡単、迅速に衣料等に熱転写することができるという効果を有し、ユーザが選んで組み合わせた絵柄を、被転写部材の表面に熱転写するのに用いる熱転写シート部材等として有用である。
【図面の簡単な説明】
【００３５】
【図１】  本発明の実施形態による熱転写シート部材の第１シート材料を示す断面図である。
【図２】  本発明の実施形態による熱転写シート部材の第２シート材料を示す断面図である。
【図３】  本発明の実施形態による熱転写シートの転写方法を示す画像転写工程図である。
【符号の説明】
【００３６】  １  第１シート素材
２  ホットメルト層
３  第１剥離シート
４  トナー画像層
５  第２シート素材
６  ホットメルト層
７  第２剥離シート
８  スクリーン印刷画像層
９  基布（被転写物）
Ａ  第１のシート材料
Ｂ  第２のシート材料
【図１】
2008090242.tif 000003
【図２】
2008090242.tif 000004
【図３】
2008090242.tif 000005